(57)【要約】【課題】  画像形成装置における酸化触媒装置の効率および使用安定性を向上させる。【解決手段】  酸化触媒装置２８０は，ダクト２８１，ファン２８２，ヒータ２８３，酸化触媒担持体２８４および放熱ダクト２８６を含むことを特徴とする。ダクト２８１は，画像形成装置の定着装置２７０に連結される。ダクト２８１内には，ファン２８２，ヒータ２８３および酸化触媒担持体２８４が設けられている。また，放熱ダクト２８６は，ダクト２８１を取り囲むように設けられ，ダクト２８１の外側壁と放熱ダクトの内側壁との間には，空気流路２８０ａが形成されている。【選択図】    図４
2005173616.tif 000002
【特許請求の範囲】
【請求項１】
湿式電子写真方式画像形成装置の定着装置から発生するキャリア蒸気を酸化分解するための，湿式電子写真方式画像形成装置の酸化触媒装置であって：
前記定着装置に連結され，前記定着装置で発生したキャリア蒸気を前記定着装置の外部に案内するダクトと；
前記ダクト内に設けられ，前記定着装置の内部で発生した前記キャリア蒸気を排出するファンと；
前記ダクト内に設けられ，前記ダクトに沿って案内される前記キャリア蒸気を加熱するヒータと；
前記ダクト内に設けられ，前記ダクトに沿って案内される前記キャリア蒸気の酸化分解反応を促進する酸化触媒担持体と；
前記ダクトを取り囲むように設けられた放熱ダクトと；を備え，
前記ダクトの外側壁と前記放熱ダクトの内側壁との間には，空気流路が形成されていることを特徴とする酸化触媒装置。
【請求項２】
前記放熱ダクトには，前記放熱ダクトの放熱面積を増加させる放熱部材が設けられていることを特徴とする請求項１に記載の酸化触媒装置。
【請求項３】
前記放熱部材は，前記放熱ダクトの外側壁に設けられた放熱リブであることを特徴とする請求項２に記載の酸化触媒装置。
【請求項４】
前記放熱部材は，前記放熱ダクトの外側壁に設けられた放熱フィンであることを特徴とする請求項２に記載の酸化触媒装置。
【請求項５】
前記放熱ダクトの少なくとも一部に，前記空気流路内の空気を流動させる放熱ファンが設けられていることを特徴とする請求項１から４のいずれかに記載の酸化触媒装置。
【請求項６】
前記放熱ダクトの少なくとも一部に，前記空気流路と連結された開口部が形成され，前記放熱ファンは，前記開口部に設けられていることを特徴とする請求項５に記載の酸化触媒装置。
【請求項７】
前記酸化触媒担持体と前記ダクトとの間に，断熱部材が介在していることを特徴とする請求項１から６のいずれかに記載の酸化触媒装置。
【請求項８】
湿式電子写真方式の画像形成装置であって：
感光媒体と；
前記感光媒体にレーザビームを走査する露光装置と；
前記感光媒体にインクおよびキャリアを含む現像液を付着させる現像装置と；
前記感光媒体に付着した現像液を用紙に転写する転写装置と；
前記現像液が転写された用紙に熱を加える定着装置と；
前記定着装置から発生したキャリア蒸気を酸化分解する酸化触媒装置と；を備え，
前記酸化触媒装置は，
前記定着装置に連結され，前記定着装置で発生した前記キャリア蒸気を前記定着装置の外部に案内するダクトと；
前記ダクト内に設けられ，前記定着装置内部で発生した前記キャリア蒸気を排出するファンと；
前記ダクト内に設けられ，前記ダクトに沿って案内される前記キャリア蒸気を加熱するヒータと；
前記ダクト内に設けられ，前記ダクトに沿って案内される前記キャリア蒸気の酸化分解反応を促進する酸化触媒担持体と；
前記ダクトを取り囲むように設けられた放熱ダクトと；を備え，
前記ダクトの外側壁と前記放熱ダクトの内側壁との間には，空気流路が形成されていることを特徴とする画像形成装置。
【請求項９】
前記放熱ダクトには，前記放熱ダクトの放熱面積を増加させる放熱部材が設けられていることを特徴とする請求項８に記載の画像形成装置。
【請求項１０】
前記放熱部材は，前記放熱ダクトの外側壁に設けられた放熱リブであることを特徴とする請求項９に記載の画像形成装置。
【請求項１１】
前記放熱部材は，前記放熱ダクトの外側壁に設けられた放熱フィンであることを特徴とする請求項９に記載の画像形成装置。
【請求項１２】
前記放熱ダクトの少なくとも一部には，前記空気流路内の空気を流動させる放熱ファンが設けられていることを特徴とする請求項８から１１のいずれかに記載の画像形成装置。
【請求項１３】
前記放熱ダクトの少なくとも一部には，前記空気流路と連結された開口部が形成され，前記放熱ファンは，前記開口部に設けられていることを特徴とする請求項１２に記載の画像形成装置。
【請求項１４】
前記酸化触媒担持体と前記ダクトとの間に，断熱部材が介在していることを特徴とする請求項８から１３のいずれかに記載の画像形成装置。
【発明の詳細な説明】
【技術分野】
【０００１】
本発明は，酸化触媒装置および画像形成装置に関し，より詳しくは，酸化触媒装置と，これを備えた湿式電子写真方式の画像形成装置に関する。
【背景技術】
【０００２】
通常，湿式電子写真方式の画像形成装置は，感光媒体にレーザビームを走査して静電潜像を形成し，この静電潜像に現像液を付着して形成された可視画像を用紙に転写して希望の画像を出力する印刷装置である。このような湿式電子写真方式の画像形成装置は，粉末トナーを使用する乾式電子写真方式画像形成装置に比べてより鮮明な画像出力が得られるという長所があり，高品質のカラー印刷に適する。
【０００３】
図１は，従来の湿式電子写真方式の画像形成装置の構成を概略的に示す図である。従来，湿式電子写真方式の画像形成装置１００は，画像形成装置本体１１０，感光ドラム１２１，１２２，１２３，１２４，帯電装置１３１，１３２，１３３，１３４，露光装置１４１，１４２，１４３，１４４，現像装置１５１，１５２，１５３，１５４，転写ベルト１６０，第１の転写ローラ１７１，１７２，１７３，１７４，第２の転写ローラ１８０および定着装置１９０を含む。
【０００４】
ここで，上記複数の現像装置１５１，１５２，１５３，１５４は，それぞれ互いに異なる色の現像液を貯蔵し，各感光ドラム１２１，１２２，１２３，１２４にカラー現像液を供給する。現像液は，トナーが分散されているインクとＮｏｒｐａｒのような液状のキャリアからなる。Ｎｏｒｐａｒは，Ｃ１０Ｈ２２，Ｃ１１Ｈ２４，Ｃ１２Ｈ２６，Ｃ１３Ｈ２８の混合物である炭化水素（Ｈｙｄｒｏｃａｒｂｏｎ）系の溶剤である。このような構成の現像液は，各感光ドラム１２１，１２２，１２３，１２４に付着され，可視画像を形成する。また，各感光ドラム１２１，１２２，１２３，１２４に形成された可視画像は，複数の第１の転写ローラ１７１，１７２，１７３，１７４により転写ベルト１６０に移された後，第２の転写ローラ１８０により用紙Ｐに転写される。現像液を転写された用紙Ｐは，定着装置１９０に移動する。用紙Ｐが定着装置１９０を通過する時，現像液成分中のインクは，用紙Ｐ上に固着され，液状のキャリアは，高熱により蒸発すてメタン（ＣＨ４）のような可燃性の炭化水素ガスになり，外部に排出される。
【０００５】
なお，可燃性の炭化水素ガスは，揮発性有機化合物（ＶＯＣ：Ｖｏｌａｔｉｌｅ  Ｏｒｇａｎｉｃ  Ｃｏｍｐｏｕｎｄｓ）に分類される物質であり，周辺環境を汚染し，不快な臭いを発生させる。このような問題点のため，近年，可燃性の炭化水素ガスを除去するための種々の方法に関する研究が行われている。
【０００６】
現在，公知の可燃性炭化水素ガスの除去方法としては，ろ過法，直接加熱法，酸化触媒法などがある。ろ過法では，活性炭のような炭素フィルタを用いてガス成分を物理的に除去する。直接加熱法では，ガス成分を発火温度（６００〜８００℃）で燃焼させる。酸化触媒法では，ガス成分を触媒を用いて比較的低い温度（１５０〜４００℃）で燃焼させ，水と二酸化炭素とに酸化分解させる。
【発明の開示】
【発明が解決しようとする課題】
【０００７】
しかし，ろ過法は，炭素フィルタがその内部に捕集されたキャリアを分解する能力を有しないため，一定量以上のキャリアが捕集されると，飽和状態のフィルタを随時入れ替える必要がある。また，直接燃焼法は，高熱発生による安定性の問題点がある。
【０００８】
このような問題点を解決するため，近年，酸化触媒法が多く使用されており，キャリア蒸気の酸化分解効率が良く使用上の安定性が高い酸化触媒装置が希求されている。
【０００９】
そこで，本発明は，このような問題に鑑みてなされたもので，その目的とするところは，装置の効率および安定性が向上するように改善された酸化触媒装置およびこれを備えた湿式電子写真方式の画像形成装置を提供することにある。
【課題を解決するための手段】
【００１０】
上記課題を解決するために，本発明のある観点によれば，湿式電子写真方式画像形成装置の定着装置から発生するキャリア蒸気を酸化分解するための湿式電子写真方式画像形成装置の酸化触媒装置であって，ダクトと，ファンと，ヒータと，酸化触媒担持体と，放熱ダクトを備える酸化触媒装置が提供される。上記ダクトは，定着装置に連結され，定着装置で発生したキャリア蒸気を定着装置の外部に案内する。上記ファンは，ダクト内に設けられ，定着装置の内部で発生したキャリア蒸気を強制排出する。上記ヒータは，ダクト内に設けられ，ダクトに沿って案内されるキャリア蒸気を加熱する。上記酸化触媒担持体は，ダクト内に設けられ，ダクトに沿って案内されるキャリア蒸気の酸化分解反応を促進する。上記放熱ダクトは，ダクトを取り囲むように設けられる。さらに，ダクトの外側壁と放熱ダクトの内側壁との間には，空気流路が形成されていることを特徴とする。
【００１１】
上記酸化触媒装置において，放熱ダクトの外側壁には，放熱ダクトの放熱面積を増加させるための放熱部材を設けてもよい。放熱部材は，放熱リブや放熱フィンであってもよい。
【００１２】
上記放熱ダクトの少なくとも一部に，空気流路内の空気を流動させる放熱ファンが設けられていてもよい。なお，上記放熱ファンは，放熱ダクトの一側に設けられていても良い。
【００１３】
上記放熱ダクトの少なくとも一部に，空気流路と連結された開口部が形成され，放熱ファンは上記開口部に設けられていてもよい。かかる構成によれば，放熱ファンは，放熱ダクトの外部の空気を空気流路へ流入させることができる。また，空気流路内に流入された空気を，放熱ダクトの開口部を介して排出させることができる。なお，開口部は，放熱ダクトの一側に設けられていても良い。
【００１４】
また，酸化触媒担持体とダクトとの間には，断熱部材が介在してもよい。
【００１５】
上記課題を解決するために，本発明の別の観点によれば，感光媒体，露光装置，現像装置，定着装置および酸化触媒装置を含み，酸化触媒装置は，ダクト，ファン，ヒータ，酸化触媒担持体および放熱ダクトを含むことを特徴とする湿式電子写真方式の画像形成装置が提供される。ここで，ファン，ヒータおよび酸化触媒担持体は，ダクト内に設けられ，ダクトと放熱ダクトとの間には，空気流路が形成されている。
【発明の効果】
【００１６】
以上説明したように本発明によれば，ダクトと，このダクトを取り囲むように設けられた放熱ダクトとの間に空気流路が形成されるため，ダクト内で発生した高熱が効果的に遮断される。また，放熱ダクトが，その広い放熱面積を利用してダクト内で発生した高熱を分散して放出させる。従って，画像形成装置を構成する他の構成部品を高熱により損傷してしまう問題を防止し，安定性の向上した湿式電子写真方式の画像形成装置を提供することができる。
【００１７】
また，本発明によれば，酸化触媒担持体の温度が下がり難いので，キャリア蒸気の酸化分解反応を促進することができる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
図２に示したように，本発明の好適な実施形態にかかる湿式電子写真方式の画像形成装置２００は，画像形成装置本体２１０，露光装置２２１，２２２，２２３，および２２４，感光ドラム２３１，２３２，２３３，および２３４，帯電装置２４１，２４２，２４３，および２４４，現像装置２５１，２５２，２５３，および２５４，転写装置２６０，定着装置２７０，酸化触媒装置２８０などを備える。
【００２０】
上記複数の露光装置２２１，２２２，２２３，および２２４は，レーザビームを発生し，帯電装置２４１，２４２，２４３，および２４４により一定の電位に帯電された各感光ドラム２３１，２３２，２３３，および２３４の表面にレーザビームを走査する。レーザビームが走査された各感光ドラム２３１，２３２，２３３，および２３４の表面には，電位差の発生による静電潜像が形成される。
【００２１】
上記帯電装置２４１，２４２，２４３，および２４４は，各感光ドラム２３１，２３２，２３３，および２３４の表面を一定の電位に帯電させ，各感光ドラム２３１，２３２，２３３，および２３４の表面に静電潜像が形成される条件を形成する。
【００２２】
現像装置２５１，２５２，２５３，および２５４は，感光ドラム２３１，２３２，２３３，および２３４のそれぞれに現像液を供給する。各現像装置２５１，２５２，２５３，および２５４は，互いに異なる色の現像液，例えば，イエロー，マゼンタ，シアンおよびブラックのカラー現像液を貯蔵し，各感光ドラム２３１，２３２，２３３，２３４の表面に形成された静電潜像に現像液を付着させる。静電潜像に付着された現像液は，各感光ドラム２３１，２３２，２３３，および２３４の表面に可視画像を形成する。なお，現像液は，トナーを含むインクと，Ｎｏｒｐａｒのような液状のキャリアとからなる。Ｎｏｒｐａｒは，Ｃ１０Ｈ２２，Ｃ１１Ｈ２４，Ｃ１２Ｈ２６，Ｃ１３Ｈ２８の混合物である炭化水素（Ｈｙｄｒｏｃａｒｂｏｎ）系の溶剤であって，加熱されると蒸発し，メタン（ＣＨ４）のような可燃性炭化水素ガスになる。
【００２３】
転写装置２６０は，各感光ドラム２３１，２３２，２３３，および２３４に形成された可視画像を用紙Ｐに転写するためのもので，転写ベルト２６１，第１の転写ローラ２６２，２６３，２６４，および２６５並びに第２の転写ローラ２６７を含む。転写ベルト２６１は，図２に示したように，各感光ドラム２３１，２３２，２３３，および２３４の表面に接して走行しながら可視画像を転写される。また，複数の第１の転写ローラ２６２，２６３，２６４，および２６５は，各感光ドラム２３１，２３２，２３３，および２３４に対応するように設けられ，各感光ドラム２３１，２３２，２３３，および２３４の表面に形成された可視画像を転写ベルト２６１に転写する。イエロー，マゼンタ，シアンおよびブラックの４色の現像液は，転写ベルト２６１上で重畳してカラー画像を形成する。第２の転写ローラ２６７は，転写ベルト２６１に形成されたカラー画像を供給された用紙Ｐに転写する。
【００２４】
定着装置２７０は，カラー画像が転写された用紙Ｐに熱と圧力を加えて現像液成分からキャリアを蒸発させ，インクを用紙Ｐ上に固着させる。定着装置２７０は，図３に概略的に示したように，用紙通過溝２７１ａが形成されたケース２７１の内部にヒートローラ２７２と加圧ローラ２７３が密着された構造となっている。ここで，ヒートローラ２７２は，ヒートランプや電熱線などの発熱体を備え，高熱を発生させる。
【００２５】
上記酸化触媒装置２８０は，定着装置２７０から発生したキャリア蒸気を浄化させるためのもので，定着装置２７０に連結される。酸化触媒装置２８０は，図３〜図５に示したように，ダクト２８１，ファン２８２，ヒータ２８３，酸化触媒担持体２８４，断熱部材２８５および放熱ダクト２８６などを備える。ダクト２８１は，図５に示したように，その一端が定着装置２７０のケース２７１の一側に連結され，ケース２７１内で発生するキャリア蒸気を画像形成装置本体２１０の外部に案内する。ファン２８２は，ダクト２８１内に設けられ，ケース２７１内のキャリア蒸気をケース２７１の外部に強制的に排出する。ヒータ２８３は，キャリア蒸気の温度を活性化温度，例えば，２００℃まで昇温させる。酸化触媒担持体２８４は，白金（Ｐｔ）やパラジウム（Ｐｄ）など，キャリア蒸気の酸化分解反応を促進させる酸化触媒剤を担持しており，ヒータ２８３の後部に設けられている。酸化触媒担持体２８４は，約２００℃のキャリア蒸気から伝達される熱とキャリア蒸気の酸化分解による反応熱とが加えられ，約３００℃まで昇温する。酸化触媒担持体２８４とダクト２８１との間に断熱部材２８５が介在しているので，酸化触媒担持体２８４は冷却され難く，高温が維持される。
【００２６】
上記放熱ダクト２８６は，ダクト２８１の外部を取り囲むように設けられる。放熱ダクト２８６は，ダクト２８１の外部に放熱される高熱を遮断して画像形成装置本体２１０内の他の構成部品が高熱にさらされることを防止し，この高熱を外部に効果的に放出する。図４に示したように，ダクト２８１の外側壁２８１ａと放熱ダクト２８６の内側壁２８６ａとの間には，空気が流動する空気流路２８０ａが形成されている。この空気流路２８０ａは，ダクト２８１から放出された熱が放熱ダクト２８６へ急速に排出されること防止する。また，放熱ダクト２８６は，空気流路２８０ａ内の空気が放出されるように，その下部２９２が開放されていてもよく，プラスチックのような熱伝導率の小さな材質からなっていてもよい。また，空気流路２８０ａを形成するダクト２８１の外側壁２８１ａおよび放熱ダクト２８６の内側壁２８６ａは，空気流動が円滑に行われるように滑らかな表面であってもよい。
【００２７】
また，放熱ダクト２８６の上部には，開口部２８６ｂが形成され，この開口部２８６ｂに放熱ファン２８７が設けられる。放熱ファン２８７は，空気流路２８０ａ内の空気流動を促進し，ヒータ２８３および酸化触媒担持体２８４から発生した熱が放熱ダクト２８６の特定の部位に集中することなく放熱ダクト２８６内で一様に分散されるようにする。図５に示したように，放熱ファン２８７が駆動されると，放熱ダクト２８６の開放された下部２９２を介して空気が吸い込まれ，この吸い込まれた空気は，空気流路２８０ａを通過して放熱ダクト２８６の開口部２８６ｂ（図４参照）を介して排出される。このような放熱ファン２８７の設置位置と個数は，種々に選択できる。例えば，図６に示したように，放熱ダクト３８６内の空気流路３８０ａと放熱ダクト３８６の外部とを連結する開口部３８６ｂが１つだけ設けられ，この開口部３８６ｂに１つの放熱ファン３８７が設けられる構成であってもよい。
【００２８】
また，放熱ダクト２８６には，放熱ダクトの放熱面積を増加させる放熱部材が設けられてもよい。例えば，図４に示したように，放熱ダクト２８６の外側壁に，複数の放熱リブ２８８が放熱部材として設けられてもよい。放熱リブ２２８は，外部の空気と接する放熱ダクト２８６外面部の面積を増加させる。このように放熱リブ２８８による放熱面積の増加に伴い，放熱ダクト２８６の放熱効率が増加する。本実施形態における放熱リブ２８８の代わりに，他の放熱部材を設ける構成とすることもできる。例えば，図７に示したように，放熱ダクト４８６の外側壁４８６ｃに，複数の放熱フィン４８８を設けて放熱ダクト４８６の放熱面積を増加させてもよい。
【００２９】
以下，本発明の好適な実施形態による酸化触媒装置２８０およびこれを備えた湿式電子写真方式の画像形成装置２００の作用について説明する。
【００３０】
画像形成装置２００に印刷命令が送出されると，図２に示したように，帯電ローラ２４１，２４２，２４３，および２４４により一定の電位に帯電された各感光ドラム２３１，２３２，２３３，および２３４の表面に露光装置２２１，２２２，２２３，および２２４からレーザビームが照射される。レーザビームが照射された感光ドラム２３１，２３２，２３３，および２３４の表面は，その帯電電位が変わりながら静電潜像が形成される。そして，現像装置２５１，２５２，２５３，および２５４が感光ドラム２３１，２３２，２３３，および２３４に形成されたそれぞれの静電潜像にイエロー，マゼンタ，シアンおよびブラックの現像液を付着させて可視画像を形成させる。このように形成された４色の可視画像は，第１の転写ローラ２６２，２６３，２６４，および２６５により転写ベルト２６１に順次転写され，転写ベルト２６１には４色の現像液が重畳したカラー画像が形成される。このような一連の画像形成過程の間，給紙装置２１５が用紙Ｐを転写ベルト２６１側に移動させる。用紙Ｐが転写ベルト２６１と第２の転写ローラ２６７との間に移動されてくると，転写ベルト２６１に形成されたカラー画像は，第２の転写ローラ２６７により用紙Ｐに転写され，用紙Ｐは，定着装置２７０側に移動させられる。
【００３１】
定着装置２７０に移動した用紙Ｐは，図３に示したように，ヒートローラ２７２と加圧ローラ２７３との間を通過し，ケース２７１に形成された用紙通過溝２７１ａを介して定着装置２７０から離れた後，配紙装置２９０（図２参照）を介して画像形成装置本体２１０の外部に排出される。用紙Ｐがヒートローラ２７２と加圧ローラ２７３との間を通過する時，ヒートローラ２７２から発生した熱により用紙Ｐ上に転写された現像液成分からキャリアは蒸発し，インクは用紙Ｐ上に固着される。
【００３２】
このとき，ケース２７１内に発生したキャリア蒸気は，図４に示したように，ファン２８２によりダクト２８１内に送られる。ダクト２８１内のキャリア蒸気は，ヒータ２８３を通過しながらその温度が約２００℃の活性化温度まで上昇し，酸化触媒担持体２８４方向に流動する。ダクト２８１内の酸化触媒担持体２８４を通過するキャリア蒸気は，水と二酸化炭素とに酸化分解され，ダクト２８１の外部に排出される。キャリア蒸気が酸化触媒担持体２８４で水と二酸化炭素とに酸化分解される間，酸化反応熱が発生し，酸化触媒担持体２８４の温度は，約３００℃まで昇温する。この高熱は，断熱部材２８５を通過してダクト２８１に徐々に伝達される。
【００３３】
また，ダクト２８１に伝達された高熱は，空気流路２８０ａを通過して放熱ダクト２８６に伝達される。このとき，放熱ファン２８７の駆動により空気流路２８０ａ内を流動する空気が，ダクト２８１の外部に放出される熱を速やかに放出させる。また，放熱ダクト２８６の外側壁２８６ｃに設けられた放熱リブ２８８は，空気流路２８０ａと放熱ダクト２８６の外部との間の熱交換を促進し，空気流路２８０ａに伝達された高熱の放出を助ける。従って，ダクト２８１の内部で発生した高熱は，画像形成装置本体２１０に設けられている各種の構成部品に直接伝達されることなく効率良く放熱される。
【００３４】
なお，酸化触媒担持体２８４とダクト２８１との間に介在する断熱部材２８５は，酸化触媒担持体２８４を保温し，酸化触媒担持体２８４の温度がキャリア蒸気の活性化温度まで円滑に昇温するようにする。このような断熱部材２８５の作用で，キャリア蒸気の酸化分解効率がさらに向上する。
【００３５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３６】
本発明は，湿式現像剤を使用する種々の湿式画像形成装置に適用可能である。
【図面の簡単な説明】
【００３７】
【図１】従来の湿式電子写真方式の画像形成装置の構成を概略的に示す図である。
【図２】本発明の好適な実施形態に係る湿式電子写真方式の画像形成装置の構成を概略的に示す図である。
【図３】同実施形態に係る画像形成装置の要部構成を示す斜視図である。
【図４】同実施形態に係る酸化触媒装置の縦断面を図３のＩ−Ｉ方向から見た図である。
【図５】同実施形態に係る酸化触媒装置の横断面を図３のＩＩ−ＩＩ方向から見た図である。
【図６】同実施形態の変形例に係る酸化触媒装置の構成を概略的に示す図である。
【図７】同実施形態の変形例に係る酸化触媒装置の構成を概略的に示す図である。
【符号の説明】
【００３８】
２００      湿式電子写真方式画像形成装置
２１０      画像形成装置本体
２２１，２２２，２２３，２２４      露光装置
２３１，２３２，２３３，２３４      感光装置
２４１，２４２，２４３，２４４      帯電装置
２５１，２５２，２５３，２５４      現像装置
２６０      転写装置
２６１      転写ベルト
２６２，２６３，２６４，２６５      第１の転写ローラ
２６７      第２の転写ローラ
２７０      定着装置
２８０      酸化触媒装置
２８０ａ，３８０ａ    空気流路
２８１      ダクト
２８２      ファン
２８３      ヒータ
２８４      酸化触媒担持体
２８５      断熱部材
２８６，３８６，４８６      放熱ダクト
２８６ｂ，３８６ｂ      開口部
２８７，３８７      放熱ファン
２８８      放熱リブ
４８８      放熱フィン
【図１】
2005173616.tif 000003
【図２】
2005173616.tif 000004
【図３】
2005173616.tif 000005
【図４】
2005173616.tif 000006
【図５】
2005173616.tif 000007
【図６】
2005173616.tif 000008
【図７】
2005173616.tif 000009